(57)【要約】【課題】光ディスク装置における光ディスクの種類の判別やエラー通知などに有する時間を短縮する。【解決手段】複数の種類の光ディスクを判別して起動する光ディスク装置において、データ処理部１０７が、起動処理で起動エラーが生じた場合、取得した、装着光ディスクに関連する関連情報に基づいて、記憶部１０６に記憶された起動モード群の中から、次回以降に選択する起動モード群を限定する。そして、データ処理部１０７は、限定した起動モード群の中から、次の起動モードを選択し、駆動制御部１０５を介して駆動回路１０４を制御して起動処理を行う。【選択図】図１
2006114100.tif 000002
【特許請求の範囲】
【請求項１】
装着された光ディスクの種類を判別する判別手段と、
光ディスクの種類に応じた起動モードを記憶する記憶装置から、判別された光ディスクの種類に応じた起動モードを選択する選択手段と、
選択された起動モードに応じて、起動処理を行う起動手段と、
を備え、
選択手段は、起動処理で起動エラーが生じた場合、記憶装置からさらに別の起動モードを選択し、
起動手段は、選択された別の起動モードで改めて起動処理を行う光ディスク装置において、
起動手段での起動処理中に得られる前記光ディスクに関連する関連情報を取得する取得手段と、
起動処理で起動エラーが生じた場合、取得した関連情報に基づいて、記憶装置に記憶された起動モード群の中から、選択手段が選択する起動モード群を限定するモード限定手段と、
を備え、
選択手段は、起動処理で起動エラーが生じた場合、モード限定手段で限定された起動モード群の中から、次の起動モードを選択することを特徴とする光ディスク装置。
【請求項２】
請求項１に記載の光ディスク装置において、
前記関連情報がＣＤ系固有の情報であった場合、前記モード限定手段は、起動モード群をＣＤ系の起動モードに限定することを特徴とする光ディスク装置。
【請求項３】
請求項１に記載の光ディスク装置において、
前記関連情報がＤＶＤ系固有の情報であった場合、前記モード限定手段は、起動モード群をＤＶＤ系の起動モードに限定することを特徴とする光ディスク装置。
【請求項４】
装着された光ディスクの種類を判別する判別工程と、
光ディスクの種類に応じた起動モードを記憶する記憶装置から、判別された光ディスクの種類に応じた起動モードを選択する選択工程と、
選択された起動モードに応じて、起動処理を行う起動工程と、
を含み、
選択工程は、起動処理で起動エラーが生じた場合、記憶装置からさらに別の起動モードを選択し、
起動工程は、選択された別の起動モードで改めて起動処理を行う光ディスク起動方法において、
起動工程での起動処理中に得られる前記光ディスクに関連する関連情報を取得する取得工程と、
起動処理で起動エラーが生じた場合、取得した関連情報に基づいて、記憶装置に記憶された起動モード群の中から、選択手段が選択する起動モード群を限定するモード限定工程と、
を含み、
選択工程は、起動処理で起動エラーが生じた場合、モード限定工程で限定された起動モード群の中から、次の起動モードを選択することを特徴とする光ディスク起動方法。
【発明の詳細な説明】
【技術分野】
【０００１】
本発明は、光ディスク装置、特に複数の種類の光ディスクを判別して起動する光ディスク装置に関する。
【背景技術】
【０００２】
従来より、ＤＶＤ−ＲＯＭやＣＤ−ＲＯＭ、ＣＤ−Ｒ、ＣＤ−ＲＷ等の複数種類の光ディスクが存在する。一方、これらディスクを記憶媒体として記録再生する光ディスク装置側では、複数種類のディスクに対応可能なものが種々提案されてきており、ディスクを投入した際に、ディスクの種類を迅速かつ正確に判別する方法が求められている。
【０００３】
図６は、従来の光ディスクにおけるディスクの種類の判別を行う際のプロセスの一例を示す図である。従来の光ディスク装置では、ディスクが装着された際に、まず装着されたディスク種別を判別する（Ｓ１）。具体的には、ＣＤ用ＬＤ（レーザダイオード）やＤＶＤ用ＬＤを発光し、フォーカスサーチ動作を行う。そして、その際の反射光に基づいて生成される和信号およびフォーカスエラー信号により、ＣＤ系かＤＶＤ系かを判別し、さらに反射光量に基づいて、高反射ディスクか低反射ディスクかを判別する（例えば、特許文献１を参照）。
【０００４】
そして、Ｓ１での判別結果に応じて、装着されたディスクに応じた起動モードを選択し（Ｓ２）、選択された起動モードでそれぞれ起動処理を行う（Ｓ３）。具体的には、ディスク種類に応じた波長のレーザ光を発光させた状態で、対物レンズを支持するアクチュエータを光軸方向に駆動させてフォーカスサーチを行い、フォーカスの引き込みを行う。さらに、トラッキングサーボの引き込みなどを行い、装着されたディスクに関連する関連情報を取得して、起動を完了させる。
【０００５】
起動が完了しなかった場合は、まだ試していない起動モードがあるかを判定した後（Ｓ５）、試していない起動モードが存在する場合には、その起動モードを選択して（Ｓ６）、再度起動処理を行う。光ディスク装置は、起動が完了しない場合は、この動作を繰り返す。そして、すべての起動モードを試した段階で、まだ起動が完了しない場合は、ディスクエラー通知の指示を出力し（Ｓ７）、ディスプレイ等に表示するなどしてユーザにエラーの通知を行う。
【０００６】
【特許文献１】特開２００１−１８４６７６号公報
【特許文献２】特開２００３−１７８４４５号公報
【特許文献３】特開２０００−１８２３１３号公報
【発明の開示】
【発明が解決しようとする課題】
【０００７】
しかしながら、上記のように起動モードを切り替えながら、起動処理を行う場合、起動モードに応じてレーザダイオードの切り替えを行ったり、フォーカスサーボやトラッキングサーボの引き込みをその都度行う必要があるため、起動完了するまで有する時間やエラー通知がなされるまでに有する時間が長くなってしまう場合がある。
【０００８】
また、起動時間の短縮を図る手法として、特許文献２では、ディスクを投入した際に、ユーザ側でまず投入したディスクの種類を指定した後に、光ディスク装置側で自動判別を行う方法が開示されている。しかし、ユーザが必ずしも自身が投入するディスクの種別を把握できるとは限らず、必ずしも起動時間の短縮にはつながらない。
【０００９】
本発明は、光ディスク装置における光ディスクの種類の判別やエラー通知などに有する時間を短縮することを目的とする。
【課題を解決するための手段】
【００１０】
本発明に係る光ディスク装置は、装着された光ディスクの種類を判別する判別手段と、光ディスクの種類に応じた起動モードを記憶する記憶装置から、判別された光ディスクの種類に応じた起動モードを選択する選択手段と、選択された起動モードに応じて、起動処理を行う起動手段と、を備え、選択手段は、起動処理で起動エラーが生じた場合、記憶装置からさらに別の起動モードを選択し、起動手段は、選択された別の起動モードで改めて起動処理を行う光ディスク装置において、起動手段での起動処理中に得られる前記光ディスクに関連する関連情報を取得する取得手段と、起動処理で起動エラーが生じた場合、取得した関連情報に基づいて、記憶装置に記憶された起動モード群の中から、選択手段が選択する起動モード群を限定するモード限定手段と、を備え、選択手段は、起動処理で起動エラーが生じた場合、モード限定手段で限定された起動モード群の中から、次の起動モードを選択することを特徴とする。
【００１１】
本発明によれば、光ディスクの起動処理中に起動エラーが生じた場合、モード限定手段が、取得手段が取得した関連情報に基づいて記憶装置に記憶された起動モード群の中から、選択手段が選択する起動モード群を限定する。これより、起動エラーが生じた場合、次回以降に試される起動モードが削減されるため、光ディスクの種類の判別やエラー通知などに有する時間を短縮することができる。
【００１２】
本発明に係る光ディスク装置の一つの態様によれば、関連情報がＣＤ系固有の情報であった場合、モード限定手段は、起動モード群をＣＤ系の起動モードに限定することを特徴とする。
【００１３】
本発明によれば、関連情報がＣＤ系固有の情報であった場合、例えば、装着された光ディスクからＡＴＩＰ情報やＳｕｂＱ情報を正常に取得できた場合には、装着された光ディスクをＣＤ系ディスクと断定して、モード限定手段は、起動モード群をＣＤ系の起動モードに限定する。これにより、次回以降に試される起動モードがＣＤ系の起動モードのみになるため、光ディスクの種類の判別やエラー通知などに有する時間を短縮することができる。
【００１４】
本発明に係る光ディスク装置の一つの態様によれば、関連情報がＤＶＤ系固有の情報であった場合、モード限定手段は、起動モード群をＤＶＤ系の起動モードに限定することを特徴とする。
【００１５】
本発明によれば、関連情報がＤＶＤ系固有の情報であった場合、装着された光ディスクをＤＶＤ系ディスクと断定して、モード限定手段は、起動モード群をＤＶＤ系の起動モードに限定する。例えば、装着された光ディスクからＳｅｃｔｏｒＩＤや、ＬＰＰ、ＣＡＰＡなどの情報を正常に取得できた場合や、起動エラー時の起動モードが位相差法を用いたＤＶＤ系のモードであり、フォーカスサーボおよびトラッキングサーボがオン状態になった場合や、起動エラー時の起動モードがプッシュプル法を用いたＤＶＤ系のモードであり、フォーカスサーボおよびトラッキングサーボがオン状態となり、Ｗｏｂｂｌｅ周波数が所定の範囲内と判定された場合などに、モード限定手段は、起動モード群をＤＶＤ系の起動モードに限定する。これにより、次回以降に試される起動モードがＤＶＤ系の起動モードのみになるため、光ディスクの種類の判別やエラー通知などに有する時間を短縮することができる。
【発明を実施するための最良の形態】
【００１６】
以下、図面に基づき本発明の実施の形態（以下、実施形態とする）について、光ディスク装置を例にとり説明する。
【００１７】
図１には、本実施形態の構成ブロック図が示されている。図１において、本実施形態の光ディスク装置は、データが記録されているＤＶＤ−ＲＯＭやＣＤ−ＲＯＭ等の光ディスク１００と、光ディスク１００を回転させるスピンドルモータ１０１と、ピックアップ１０２と、ピックアップ１０２を光ディスク１００の半径方向に移動するスライドモータ１０３と、スピンドルモータ１０１を駆動する駆動回路１０４と、駆動回路１０４を制御する駆動制御部１０５と、光ディスク１００の記録再生等の動作を制御する制御プログラムや制御パラメータ等を記憶する記憶部１０６と、装着された光ディスク１００の種類を判別する種類判別処理や、判別された種類に応じてデータ記録再生処理を開始するまでの立ち上げ（起動処理）や光ディスク１００の記録／再生時の駆動制御部１０５を介した駆動制御や、データ処理等を行うデータ処理部１０７とを備えて構成されている。
【００１８】
ここで、本実施形態のディスク再生装置の各構成要素について、動作説明を含めてより具体的に説明する。ピックアップ１０２は、駆動回路１０４からのフォーカス、トラッキングおよびスレッドの各駆動信号によりその位置調整を行ない、光ディスク１００から情報を読み取り、電気信号へ変換する。スピンドルモータ１０１は、駆動回路１０４からのスピンドルの駆動信号に基づいて光ディスク１００の回転制御を行なう。スライドモータ１０３は、駆動回路１０４からの駆動信号によりピックアップ１０２を光ディスク１００の半径方向に移動させてピックアップ１０２の位置を調整する。
【００１９】
また、駆動回路１０４は、駆動制御部１０５からの制御信号、ピックアップ１０２からのトラッキングエラー信号、フォーカスエラー信号およびアイパターン信号等を読み取り、フォーカス、トラッキング、スピンドルおよびスレッドの各サーボ制御を行なう。そして、駆動制御部１０５は、駆動回路１０４からのステータスに基づいて駆動回路１０４を制御する。
【００２０】
データ処理部１０７は、ＣＰＵやＤＳＰ（ディジタル・シグナル・プロセッサ）等で実現される。なお、これらの各手段は、機能的なまとまりを示すものであって、具体的にはＣＰＵやＤＳＰ上で実行されるプログラムによって実現されるものである。
【００２１】
このように構成された本実施形態において、光ディスク１００が装着された際に、データ処理部１０７は、図２に示すフローチャートのように、ディスク種類を判定し、判定結果に応じた起動処理を行う。
【００２２】
本実施形態において特徴的なことは、Ｓ１０１での判定結果に応じて選択された起動モードで起動処理を行ったにも拘わらず、起動が完了しなかった場合に、Ｓ１０３で行われた起動処理の間に取得した光ディスクに関連する関連情報に基づいて、Ｓ１０５において次回以降に選択する起動モードの絞り込みを行うことである。このように起動モードの絞り込みを行うことで、本実施形態では、選択した起動モードで起動が完了しなかった場合に別途選択される起動モードの数を削減して、起動完了までに有する処理時間やディスクエラーを通知するまでに有する処理時間を短縮する。
【００２３】
以下、図２に示すフローチャートの各処理について詳細を説明する。
【００２４】
図２において、まずデータ処理部１０７が装着されたディスク種別を判別する（Ｓ１０１）。具体的には、上記に示したように、ＣＤ用ＬＤ（レーザダイオード）やＤＶＤ用ＬＤを発光し、フォーカスサーチ動作を行う。そして、その際の反射光に基づいて生成される和信号およびフォーカスエラー信号により、ＣＤ系かＤＶＤ系かを判別し、さらに反射光量に基づいて、その反射光量が所定の基準値より高いか低いかで高反射ディスクか低反射ディスクかを判別する。
【００２５】
そして、Ｓ１０１での判別結果に応じて、データ処理部１０７は起動モードを選択する。起動モードとしては、例えば、ＣＤ高反射起動モード、ＣＤ低反射起動モード、ＤＶＤ高反射起動モード、ＤＶＤ低反射起動モードの４つが挙げられる。ここで、ＣＤ高反射起動モードは、装着された光ディスクが、ＣＤ系であり、主にＣＤ−ＲＯＭやＣＤ−Ｒの場合に正常に起動するモードである。また、ＣＤ低反射モードは、装着された光ディスクが、ＣＤ系であり、主にＣＤ−ＲＷの場合に正常に起動するモードである。さらに、ＤＶＤ高反射モードは、装着された光ディスクが、ＤＶＤ系であり、主にＤＶＤ−ＲＯＭやＤＶＤ−Ｒの場合に正常に起動するモードである。加えて、ＤＶＤ低反射モードは、ＤＶＤ系であり、主にＤＶＤ−ＲＷの場合に正常に起動するモードである。これらの起動モード群の中からＳ１０１での判別結果に応じて、起動モードが選択される。
【００２６】
続いて、データ処理部１０７は、駆動制御部１０５を介して駆動回路１０４を制御することで、Ｓ１０２で選択した起動モードで起動処理を行う（Ｓ１０３）。
【００２７】
ここで、起動処理について、ＣＤ系とＤＶＤ系とに分けてそれぞれ図３、図４を用いて詳細を説明する。
【００２８】
図３は、ＣＤ高反射起動モードおよびＣＤ低反射起動モードにおける起動処理のフローチャートを示す図である。
【００２９】
まず、駆動回路１０４が、フォーカスエラー信号に基づきピックアップ１０２をフォーカス方向に駆動してオンフォーカス状態にし（Ｓ３０１）、さらにトラッキングエラー信号に基づきピックアップ１０２を光ディスク１００のトラック方向に駆動してオントラック状態にする（Ｓ３０２）。続いて、データ処理部１０７が、光ディスク１００からピックアップ１０２を介してＡＴＩＰ（Absolute Time In Pre-groove）情報を取得し、ＣＲＣエラーのチェックを行い、ＣＲＣエラーの有無を確認する（Ｓ３０３）。そして、ＣＲＣエラーがなかった場合、データ処理部１０７は、装着された光ディスク１００がＣＤ−ＲもしくはＣＤ−ＲＷと確定する（Ｓ３０４）。その後、ＡＴＩＰ特殊情報を取得し（Ｓ３０５）、その情報に基づいてＡＴＩＰディスクタイプを確認する（Ｓ３０６）。これにより、装着された光ディスク１００がＣＤ−Ｒか、もしくはＣＤ−ＲＷ（ＭＳ、ＨＳ、ＵＳ、ＵＳ＋）のいずれかであるかを確定させる。さらにデータ処理部１０７は、装着された光ディスク１００に関する各種情報（ＰＭＡ情報、ＴＯＣ情報、Ｍｅｔｈｏｄ２情報等）を取得し（Ｓ３０７）、起動を完了する（Ｓ３０８）。
【００３０】
一方、Ｓ３０３での判定の結果、ＡＴＩＰ情報を取得できなかった場合、もしくはＣＲＣエラーが存在した場合、次いで、データ処理部１０７は、光ディスク１００からピックアップ１０２を介してＳｕｂＱ情報を取得し、ＣＲＣエラーのチェックを行い、ＣＲＣエラーの有無を確認する（Ｓ３０９）。ＣＲＣエラーがなかった場合、装着された光ディスク１００をＣＤ系と確定する（Ｓ３１０）。さらに、データ処理部１０７は、光ディスク１００からＴＯＣ情報を取得することで（Ｓ３１１）、装着された光ディスク１００をＣＤ−ＲＯＭと確定する（Ｓ３１２）。その後、データ処理部１０７は、装着された光ディスク１００に関する各種情報（Ｍｅｔｈｏｄ２情報等）を取得し（Ｓ３１３）、起動を完了する（Ｓ３０８）。
【００３１】
以上に示した起動処理のプロセスにおいて、フォーカスサーボやトラッキングサーボがオン状態にならなかったり、ＳｕｂＱ情報やＴＯＣ情報、ＡＴＩＰ特殊情報などの装着された光ディスク１００に関連する関連情報を取得できなかった場合、データ処理部１０７は、起動完了しなかったと判定する。そして、起動完了しなかった場合は、図２のフローチャートのＳ１０５における処理、すなわち、起動モードの絞り込み処理を行う。この処理の詳細は後ほど説明する。
【００３２】
続いて、ＤＶＤ高反射起動モードおよびＤＶＤ低反射起動モードにおける起動処理について、図４に示すフローチャートを元に説明する。
【００３３】
まず、データ処理部１０７は、駆動制御部１０５を介して駆動回路１０４を制御することで、フォーカスエラー信号に基づきピックアップ１０２をフォーカス方向に駆動してオンフォーカス状態にしたのち（Ｓ４００１）、ＰｕｓｈＰｕｌｌの変調度を確認し、その変調度が低い場合はトラッキングエラー信号の生成を位相差法で行い、高い場合はプッシュプル法で行うことを決定する（Ｓ４００２）。
【００３４】
そして、Ｓ４００２において、位相差法と決定した場合、装着された光ディスク１００の反射率を確認し（Ｓ４００３）、高反射率の場合は、起動モードをＤＶＤ−ＲＯＭ／ＳＬモードに設定して（Ｓ４１０４）、低反射率の場合は、起動モードをＤＶＤ−ＲＯＭ／ＤＬモードに設定する（Ｓ４１１４）。次いで、各モードにおいて、トラッキングサーボをオントラック状態にして（Ｓ４１０５、Ｓ４１１５）、トラッキングサーボがオントラック状態となったら、装着された光ディスク１００をＤＶＤ系と確定し（Ｓ４１０６、Ｓ４１１６）、光ディスク１００に関する各種情報（Ｃｏｎｔｒｏｌ情報など）取得し（Ｓ４１０７、Ｓ４１１７）、起動を完了する（Ｓ４４００）。
【００３５】
一方、Ｓ４００２において、プッシュプル法と決定した場合、反射率を確認し（Ｓ４２０３）、高反射率の場合は、ＤＶＤ±Ｒの起動モードに設定し（Ｓ４２０４）、低反射率の場合は、ＤＶＤ±ＲＷの起動モードに設定する（Ｓ４３０４）。その後、各モードにおいて、トラッキングサーボをオントラック状態にして（Ｓ４２０５、Ｓ４３０５）、トラッキングサーボがオントラック状態となったら、Ｗｏｂｂｌｅ周波数を確認する（Ｓ４２０６、４３０６）。そして、Ｗｏｂｂｌｅ周波数に基づき、ＤＶＤ−ＲまたはＤＶＤ＋Ｒか、もしくはＤＶＤ−ＲＷまたはＤＶＤ＋ＲＷかを決定して、各モードに設定する（Ｓ４２０７等）。さらに、ＷＯＢＢＬＥ−ＰＬＬ（Phase Locked Loop）の引き込みを確認し（Ｓ４２０８等）、確認できた場合は装着された光ディスク１００をＤＶＤ系と確定し（Ｓ４２０９等）、光ディスク１００に関する各種情報（Ｃｏｎｔｒｏｌ情報・ＡＤＩＰ情報など）を取得し（Ｓ４２１０等）、起動を完了する（Ｓ４４００）。
【００３６】
ＤＶＤ系の場合にも、フォーカスサーボやトラッキングサーボがオン状態にならなかったり、Ｃｏｎｔｒｏｌ情報やＡＤＩＰ特殊情報などの装着された光ディスク１００に関連する関連情報を取得できなかった場合、データ処理部１０７は、起動完了しなかったと判定する。そして、起動完了しなかった場合は、図２のフローチャートのＳ１０５における処理、すなわち、起動モードの絞り込み処理を行う。
【００３７】
ここで、図２のフローチャートにおける起動モードの絞り込み処理について、図５に示すフローチャートを元に詳しく説明する。この処理は、図３や図４で示した各起動モードでの起動処理中に何らかの起動エラーが生じ、起動が正常に完了しなかった場合に、行われる。
【００３８】
データ処理部１０７は、起動エラーが生じた場合、まず今回の起動モードがＣＤ系かＤＶＤ系かを確認する（Ｓ５０１）。そして、ＣＤ系モードの場合は、起動処理中に光ディスク１００の関連情報の一つとして取得したＡＴＩＰ情報にＣＲＣエラーが存在したかどうかを判定し（Ｓ５０２）、ＣＲＣエラーが存在しなかった場合は、装着された光ディスク１００がＣＤ系であることが確実であるため、次回以降に選択される起動モード群の中からＤＶＤ系の起動モード、つまりＤＶＤ高反射起動モードおよびＤＶＤ低反射起動モードを削除する（Ｓ５０３）。
【００３９】
Ｓ５０２での判定の結果、ＡＴＩＰ情報にＣＲＣエラーが存在した場合は、さらに起動処理中に関連情報の一つとして取得したＳｕｂＱ情報にＣＲＣエラーが存在したかどうかを判定し（Ｓ５０４）、存在しなかった場合は、Ｓ５０３での起動モード削除処理を行い、存在した場合は、起動処理中に取得した各関連情報では、装着された光ディスク１００がＣＤ系かどうかを確定できないとして、起動モードの削除を行わずに、起動モード絞り込み処理を終了する。
【００４０】
一方、Ｓ５０１での判定の結果、起動モードがＤＶＤ系の場合、続いてデータ処理部１０７は、起動モードの設定が位相差法であったかプッシュプル法であったかを判定する（Ｓ５０５）。判定の結果、位相差法であった場合には、起動処理において、フォーカスサーボおよびトラッキングサーボはオン状態になったにも拘わらず、起動エラーが生じたか否かを判定する（Ｓ５０６）。その結果、フォーカスサーボおよびトラッキングサーボはオン状態になったにも拘わらず、起動エラーが生じた場合には、少なくとも装着された光ディスク１００はＤＶＤ系であることは確実であるため、次回以降に選択される起動モード群の中からＣＤ系の起動モード、つまりＣＤ高反射起動モードおよびＣＤ低反射起動モードを削除する（Ｓ５０７）。
【００４１】
また、Ｓ５０５での判定の結果、プッシュプル法であった場合には、起動処理において、フォーカスサーボおよびトラッキングサーボがオン状態になり、かつ、ｗｏｂｂｌｅ周波数がＤＶＤ系の特性を示す所定の範囲（例えば、ＤＶＤ＋ＲＷであれば、約８１０ｋＨｚ、ＤＶＤ−ＲＷであれば、約１４０ｋＨｚなど）であるか否かを判定し（Ｓ５０８）、そうであった場合には、少なくとも装着された光ディスク１００はＤＶＤ系であることは確実であるため、次回以降に選択される起動モード群の中からＣＤ系の起動モード、つまりＣＤ高反射起動モードおよびＣＤ低反射起動モードを削除する（Ｓ５０７）。
【００４２】
本実施形態では、起動処理中に起動エラーが生じた場合、図５に示す起動モード絞り込み処理を行ったのちに、図２に示すフローチャートにおいて示したとおり、データ処理部１０７が、絞り込み処理後に残った未実施の起動モードが存在するか否かを判定する（Ｓ１０６）。判定の結果、未実施の起動モードが存在する場合には、その中からさらに一つ起動モードを選択して（Ｓ１０７）、改めて起動処理を行う。一方、未実施の起動モードが存在しない場合には、ディスクエラー通知を指示し（Ｓ１０８）、光ディスク装置に備えられた表示部等にその旨を通知し、起動処理を中断する。
【００４３】
なお、起動モードの選択は、例えば、予め選択される順番を定めておいたり、各起動モードに優先度を予め定めておき、その優先度の高さに基づいて行えばよい。優先度を定めておく場合、具体的には、起動エラーが生じた時の起動モードがＣＤ高反射起動モードであった場合における他の各起動モードの優先順位が、優先度が高い順に、ＤＶＤ高反射モード、ＣＤ低反射起動モード、ＤＶＤ低反射起動モードと定められていた場合には、次に選択される起動モードは、ＤＶＤ高反射モードである。しかし、図５のＳ５０３において、ＤＶＤ系の起動モードが選択候補の中から削除されていた場合には、選択可能な起動モードはＣＤ系の起動モードだけなので、次に選択される起動モードは、ＣＤ低反射起動モードとなる。
【００４４】
このように、起動エラーが生じた場合に、次回以降に選択される起動モードの候補を起動処理中に取得した装着ディスクの関連情報に基づいて絞り込みを行うことで、本実施形態によれば起動処理にかかる時間や起動エラーの通知を行うまでの時間を短縮することができる。
【００４５】
なお、本実施形態では、起動エラーが生じた起動モードは一度のみ実行する例を示しているが、同一の起動モードを複数回実行した後に、残存する未実施の起動モードを実行するように構成しても構わない。
【００４６】
さらに、上記では、光ディスクの種類を判別する例として、ＡＴＩＰ情報のＣＲＣエラーが存在しないかどうかなどいくつかを挙げた。しかし、上記例に限らず、起動処理中に装着ディスクから読み取ることが可能なそのディスクに関する関連情報から、そのディスクの種類を絞り込むことができれば、どのような関連情報を用いて絞り込みを行っても構わない。上記以外の例として、例えば、装着ディスクからＳｅｃｔｏｒＩＤや、ＬＰＰ、ＣＡＰＡを読み取ることができた場合には、これらの情報はＤＶＤ系のディスク固有の情報であるため、装着ディスクをＤＶＤ系と特定することができる。また、ＤＶＤ−ＲＡＭの場合であれば、トラック上のユーザデータ書き込み部分とヘッダ部分とで反射率が異なるため、トラック上の反射率を検知し、例えば、高反射部分を検知した場合には、装着ディスクをＤＶＤ−ＲＡＭと特定することができる。
【００４７】
以上のように、本実施形態によれば、起動エラーが生じ起動が正常に完了しなかった場合、起動処理中に取得した、装着された光ディスク１００に関連する関連情報に基づいて、データ処理部１０７が、その光ディスク１００がＣＤ系かＤＶＤ系かなど光ディスクの種類の絞り込みを行う。よって、起動エラーが生じた場合、次回以降に試される起動モードが削減されるため、光ディスク１００の種類の判別やエラー通知などに有する時間を短縮することができる。
【００４８】
例えば、装着された光ディスクがＤＶＤ系の場合、ディスクを裏返しで光ディスク装置に装着された場合であっても、フォーカスサーボおよびトラッキングサーボがオン状態となり、Ｗｏｂｂｌｅ周波数も所定の範囲内であると判定されてしまう場合がある。そして、その後の情報取得の段階、例えば、Ｃｏｎｔｒｏｌ情報やＡＤＩＰ情報を取得する段階で、初めて起動が未完了であると判明する。このような場合、新たに試される起動モードが多いと、起動エラーとしてエラー通知がなされるまでに、多くの時間を費やしてしまう。しかし、本実施形態によれば、フォーカスサーボおよびトラッキングサーボがオントラ状態となり、Ｗｏｂｂｌｅ周波数が所定の範囲内と判定された段階で、その装着ディスクは少なくともＤＶＤ系であると判断して、ＣＤ系の起動モードを試さないため、起動エラーとしてエラー通知がなされるまでの時間を短縮することができる。
【図面の簡単な説明】
【００４９】
【図１】本実施形態における光ディスク装置の構成ブロックを示す図である。
【図２】本実施形態における光ディスク装置における装着光ディスクの種類判別および起動処理のフローチャートを示す図である。
【図３】本実施形態における光ディスク装置において、起動モードがＣＤ系（高反射ＣＤ起動モードおよび低反射ＣＤ起動モード）の場合の起動処理のフローチャートの一例を示す図である。
【図４】本実施形態における光ディスク装置において、起動モードがＤＶＤ系（高反射ＤＶＤ起動モードおよび低反射ＤＶＤ起動モード）の場合の起動処理のフローチャートの一例を示す図である。
【図５】本実施形態における光ディスク装置において、起動エラーが生じた場合に実行される起動モード絞り込み処理のフローチャートの一例を示す図である。
【図６】従来の光ディスク装置における装着光ディスクの種類判別および起動処理のフローチャートを示す図である。
【符号の説明】
【００５０】
１００  光ディスク、１０１  スピンドルモータ、１０２  ピックアップ、１０３  スライドモータ、１０４  駆動回路、１０５  駆動制御部、１０６  記憶部、１０７  データ処理部。
【図１】
2006114100.tif 000003
【図２】
2006114100.tif 000004
【図３】
2006114100.tif 000005
【図４】
2006114100.tif 000006
【図５】
2006114100.tif 000007
【図６】
2006114100.tif 000008